(57)【要約】      （修正有）【課題】衣類の美観を損なうことを防止すると共に、持ち主の特定もし易く、かつ抵抗感なく装着ができ、かつ防犯上も安心な個人特定ラベルの装着方法及び個人特定ラベルを提供する。【解決手段】ネームラベルに代表される本発明の個人特定ラベルの装着方法は、表面部５と裏面部４とを有し、前記裏面部４には、個人を特定する情報が所定の形態で少なくとも配置され、前記表面部５は、美観が重視され、前記裏面部４よりも個人の特定可能程度が低い形態の文字及び／又は図柄が配置されるか、或いは、無地のものであり、前記個人特定ラベルを、前記表面部５が、外部から視認可能となり、裏面部４が、前記表面部よりも外部から視認し難くなるように前記被装着物に装着する方法である。【選択図】図４
2020098318.tif 000002
【特許請求の範囲】
【請求項１】
基体に、少なくとも個人が特定される情報が配置される個人特定ラベルを被装着物に装着する方法であって、
前記個人特定ラベルは、表面部と裏面部とを有し、
前記裏面部は、個人を特定する情報が所定の形態で少なくとも配置され、
前記表面部は、美観が重視され、前記裏面部よりも個人の特定可能程度が低い形態の文字及び／又は図柄が配置されるか、或いは、無地とし、
前記個人特定ラベルを、前記表面部が、外部から視認可能となり、裏面部が、前記表面部よりも外部から視認し難くなるように前記被装着物に装着する
ことを特徴とする個人特定ラベルの装着方法。
【請求項２】
前記個人特定ラベルを、折部と該折部を挟み略同等の面積を有する第１面と第２面とを有し、当該折部が折られることにより、第１面からなる裏面部及び第２面からなる表面部が形成されているものとする
ことを特徴とする請求項１に記載の個人特定ラベルの装着方法。
【請求項３】
前記個人特定ラベルを、前記折部の内側によって前記被装着物の端部を挟むように配置するとともに、前記裏面部が前記被装着物の裏面に配置し、前記表面部が前記被装着物の表面に配置されるように当該衣類に装着することによって、前記表面部が、外部から視認可能となり、裏面部が、前記表面部よりも外部から視認し難くなるように前記被装着物に装着する
ことを特徴とする請求項２に記載の個人特定ラベルの装着方法。
【請求項４】
前記個人特定ラベルを、被装着物の表面に、前記個人特定ラベルの表面部を当該被装着物の表面と同じ向きに向けて装着することによって、前記表面部が、外部から視認可能となり、裏面部が、前記表面部よりも外部から視認し難くなるように前記被装着物に装着する
ことを特徴とする請求項１又は２に記載の個人特定ラベルの装着方法。
【請求項５】
前記裏面部に配置された個人を特定する情報の形態が、個人の名前を含む文字であることを特徴とする請求項１〜４の何れか一項に記載の個人特定ラベルの装着方法。
【請求項６】
前記裏面部に、緊急連絡先も配置されている
ことを特徴とする請求項５に記載の個人特定ラベルの装着方法。
【請求項７】
前記裏面部に配置された個人を特定する情報の形態が、個人の情報を所定の読み取り手段により読み取らせることによって表示するコードであることを特徴とする請求項１から４の何れか一項に記載の個人特定ラベルの装着方法。
【請求項８】
前記被装着物が衣類、かばん、または靴であることを特徴とする請求項１〜７のいずれか一項に記載の個人特定ラベルの装着方法。
【請求項９】
請求項１〜８の何れか一項に記載の個人特定ラベルの装着方法に用いられることを特徴とする個人特定ラベル。
【発明の詳細な説明】
【技術分野】
【０００１】
本発明は、衣類等の被装着物に装着し個人を特定するための、個人特定ラベルの装着方法に関するものである。
【背景技術】
【０００２】
集団生活を行う場合等において、衣類等に持ち主の名前をつけることが必要となる場合がある。
例えば、子供が保育園や幼稚園に入園する際には、集団生活の中で持ち物の紛失を防ぐ等ために、持ち物に名前を付けることが要求される。その場合、保護者は、多数の衣類に名前付けを行う必要があるが、その方法としては、衣類の表側又は裏側に、直接名前を油性マジックで記入したり、刺繍や、名前を記入した布を縫い付けたりする方法、又は、衣類の裏側に購入時より装着されている洗濯タグやブランドネームラベルに名前を記入する方法、或いは、市販されているアイロンプリント用シートを購入し、当該シートに名前を記入または印刷し、衣類の表側又は裏側にアイロンで接着する方法などの方法（例えば、特許文献１参照）等が考えられる。
また、子供に限らず、入院することになった大人や、施設に入所する高齢者等についても同様に持ち物に名前を付けることが要求されることがあり、その場合も、多くの衣類等に名前付けを行う必要がある。また、施設等の入所時に限らず、自宅で過ごしている高齢者等であっても、認知症等により迷子になってしまう事態に備える等の理由により、衣類等にネームラベルを付けることも考えられる。
さらに、スポーツ等のチーム、職場や学校等において、皆が同様の衣類を身に着ける場合や泊りで活動を行うとき等においても、持ち主を特定するために名前をつけることが求められることがある。
このように、様々な場面において、ネームラベルのような、個人を特定するためのラベルが必要となることがある。
【先行技術文献】
【特許文献】
【０００３】
【特許文献１】実開平５−５５１７５号公報
【発明の概要】
【発明が解決しようとする課題】
【０００４】
上述のような名前付けにおいては、油性マジックで直接名前を記入する方法は最も簡単な方法であり、読みやすい字でおおきくはっきりと書いてあれば見やすさの観点からは望ましいことではあるが、一度書いてしまうと元には戻せないので書くのに抵抗感を感じることもあり、特に表から見える位置に名前付けを行う場合は衣類の美観を損ねてしまうこともある。また、個人情報である名前を、身に着けている衣類の表に表示するのを避けたい場合もあり、特に子供の場合は、防犯上の理由により、衣類の表に名前を装着するのを避けたいと考える人も多い。また、大人の場合、名前を付けること自体抵抗感や嫌悪感を覚える場合もある。
【０００５】
一方で、衣類の裏側や目立たない位置、例えば、あらかじめ装着されている洗濯タグやブランドネームラベルに名前を記入する方法は、どこに名前が書かれているのかがわかりにくく、保育園や幼稚園、或いは施設等の職員等、持ち主以外の他の人にとって、その衣類の持ち主が特定し難いという欠点がある。また、一度油性マジック等で名前を直に書いてしまうと、例え洗濯ラベル等の目立たない場所であっても、リユースに出品することもできなくなってしまうという欠点もある。
【０００６】
そこで、本発明は、衣類等の美観を損なうことを防止すると共に、持ち主の特定もし易く、かつ抵抗感なく装着ができ、防犯上も安心な、個人を特定するための個人特定ラベルを提供することを目的とする。
【課題を解決するための手段】
【０００７】
本発明の構成１に係る個人特定ラベルの装着方法は、基体に、少なくとも個人が特定される情報が配置される個人特定ラベルを被装着物に装着する方法であって、前記個人特定ラベルは、表面部と裏面部とを有し、前記裏面部は、個人を特定する情報が所定の形態で少なくとも配置され、前記表面部は、美観が重視され、前記裏面部よりも個人の特定可能程度が低い形態の文字及び／又は図柄が配置されるか、或いは、無地とし、前記個人特定ラベルを、前記表面部が、外部から視認可能となり、裏面部が、前記表面部よりも外部から視認し難くなるように前記被装着物に装着することを特徴とするものである。
【０００８】
また、本発明の構成２に係る個人特定ラベルの装着方法は、構成１に係る個人特定ラベルの装着方法において、前記個人特定ラベルを、折部と該折部を挟み略同等の面積を有する第１面と第２面とを有し、当該折部が折られることにより、第１面からなる裏面部及び第２面からなる表面部が形成されているものとすること特徴とするものである。
【０００９】
また、本発明の構成３に係る個人特定ラベルの装着方法は、構成２に係る個人特定ラベルの装着方法において、前記個人特定ラベルを、前記折部の内側によって前記被装着物の端部を挟むように配置するとともに、前記裏面部が前記被装着物の裏面に配置し、前記表面部が前記被装着物の表面に配置されるように当該被装着物に装着することによって、前記表面部が、外部から視認可能となり、裏面部が、前記表面部よりも外部から視認し難くなるように前記被装着物に装着することを特徴とするものである。
【００１０】
また、本発明の構成４に係る個人特定ラベルの装着方法は、構成１又は２に係る個人特定ラベルの装着方法において、前記個人特定ラベルを、被装着物の表面に、前記個人特定ラベルの表面部を当該被装着物の表面と同じ向きに向けて装着することによって、前記表面部が、外部から視認可能となり、裏面部が、前記表面部よりも外部から視認し難くなるように前記被装着物に装着することを特徴とするものである。
【００１１】
また、本発明の構成５に係る個人特定ラベルの装着方法は、構成１〜４の何れかに係る個人特定ラベルの装着方法において、前記裏面部に配置された個人を特定する情報の形態が、個人の名前を含む文字であることを特徴とするものである。
ここで、前記「名前」とは、氏、名、氏名、或いはニックネームを含むものとする。
【００１２】
また、本発明の構成６に係る個人特定ラベルの装着方法は、構成５に係る個人特定ラベルの装着方法において、前記裏面部に、緊急連絡先も配置されていることを特徴とするものである。
【００１３】
また、本発明の構成７に係る個人特定ラベルの装着方法は、構成１〜４の何れかに係る個人特定ラベルの装着方法において、前記裏面部に配置された個人を特定する情報の形態が、個人の情報を所定の読み取り手段により読み取らせることによって表示するコードであることを特徴とするものである。
【００１４】
また、本発明の構成８に係る個人特定ラベルの装着方法は、構成１〜７の何れか一項に記載の個人特定ラベルの装着方法において、前記被装着物が衣類、かばん、または靴であることを特徴とするものである。
【００１５】
また、本発明の構成９に係る個人特定ラベルは、請求項１〜８の何れか一項に記載の個人特定ラベルの装着方法に用いられることを特徴とするものである。
【発明の効果】
【００１６】
本発明の個人特定ラベルの装着方法及びそれに用いられる個人特定ラベルは、美観が重視され、前記裏面部よりも個人の特定可能程度が低い形態の文字及び／又は図柄が配置されるか、或いは、無地とした表面部が、外部から視認可能となり、個人を特定する情報が所定の形態で少なくとも配置された裏面部が、前記表面部よりも外部から視認し難くなるように前記被装着物に装着ことによって、美観を損なうことを防止しつつ、裏面部により個人の特定も良好に行うことができ、その場所も見つけ易い。さらに、個人を特定する情報は、外部から視認し難いため、個人情報を表面に晒すことを防ぎ、子供への使用等に際し防犯上も安心である。
【図面の簡単な説明】
【００１７】
【図１】実施例１に係るネームラベルを示す正面図である。
【図２】実施例１に係るネームラベルを示す側面図である。
【図３】実施例１に係るネームラベルの装着形態の例を示す図である。
【図４】実施例１に係るネームラベルの装着形態の例の部分拡大図である。
【図５】変形例１ａ〜変形例１ｃに係るネームラベル装着形態の例を示す図である。
【図６】変形例１ｄ〜変形例１ｇに係るネームラベル装着形態の例を示す図である。
【図７】変形例１ｈ及び変形例１ｉに係るネームラベル装着形態の例を示す図である。
【図８】変形例2に係るネームラベルの装着形態の例を示す図である。
【図９】変形例2に係るネームラベル装着形態の例の部分拡大図である。
【図１０】変形例2に係る別のネームラベルを示す側面図である。
【図１１】変形例2に係るネームラベルの装着形態の例を示す図である。
【図１２】実施例2に係るネームラベルを示す正面図である。
【図１３】実施例３に係るＱＲコード付きラベルを示す正面図である。
【図１４】読み取り装置を示す正面図である。
【発明を実施するための形態】
【００１８】
以下、実施例及び変形例を用い、本発明の個人特定ラベルの装着方法及び個人特定ラベルを詳細に説明する。尚、以下の実施例１、実施例２、変形例１、変形例２においては、代表的な個人特定ラベルとして、個人名が配置されたネームラベルを用いて説明することとする。
（実施例１）子供用ネームラベル
まず、ネームラベルについて説明する。
図１は、本実施例に係るネームラベルを示す正面図であり、図２は、同ネームラベルの側面図である。
【００１９】
本実施例のネームラベル１は、長尺の布製のリボンからなる基体２の中央線部に配置された折部３を挟み略同等の面積を有する裏面部４（第１面）と表面部５（第２面）を有する。裏面部４には、個人名である「さとうひまり」（氏：さとう、名：ひまり）と配置され、表面部５には、裏面部とは異なり、かわいいうさぎのイラストが配置され、折部3において山折りに折られている。そして、基体２の長尺方向の両端部には、折り代６が配置され、所望の位置において山折りに折りこまれている。
【００２０】
ここで、布製の基体２は、例えば綿、ポリエステル等の素材の布が長尺に加工されているリボンを用いることができる。その巾は、子供用の衣類のサイズに適応するサイズであることを考慮して、１．５ｃｍ幅、２．０ｃｍ幅など、０．８〜３ｃｍ程度のものを使用することができる。また、基体２は、文字やイラストが視認可能となるように、即ち文字やイラストの色と下地となる基体の色とのコントラストを考慮した上で、その色は任意の色とすることができ、さらに柄入りのものとすることもできる。
【００２１】
また、裏面部４及び表面部５への名前、文字やイラストの配置は、例えば、インクジェットプリント、シルクスクリーンプリント、昇華転写プリント等のプリント手法、所定の熱転写用シート或いは所定のプリント用紙に印刷した文字やイラストを、熱等により転写する方法、或いは、織ネームの作成に用いられる手法、刺繍等を用いてもよい。但し、文字やイラストの配置においては、ネームラベルを装着した衣類等を多数回洗濯することを想定して洗濯堅牢度が高い方法を用いることが好ましい。
【００２２】
次に、本実施例に係るネームラベルの装着方法について説明する。
図３は、本実施例のネームラベル１を被装着物に装着した様子の例を示す図であり、図４は、図３における領域Iの部分拡大図である。
図３及び図４に示されるように、ネームラベル１を、例えばＴシャツ等の衣類７の裾に、折部３の内側によって衣類の端部を挟むように配置するとともに、裏面部４が衣類７の裏側７ｂに配置し、表面部５が衣類７の表側７ａに配置するように、当該衣類７に糸８によりネームラベル１の上部が縫い付ける。
【００２３】
尚、ネームラベル１の衣類等への装着は、手縫いまたはミシン縫いで行うことができるが、この方法に限らず、仮止め等に用いられるプラスティック製の針（マイクロファスナー）により装着してもよい。尚、ネームラベル１の衣類への装着は、衣類等の作製途中に、衣類等の縫製と共に縫い込まれることも考えられるが、完成した衣類に後から装着することで、既成品にオリジナリティーを加えることができる等の利点がある。
【００２４】
このように、本実施例においては、Ｔシャツ等の衣類の表面には、美観を重視した子供向けのかわいいうさぎのイラストが表側を向いて装着されることから、Ｔシャツの美観を損なうどころかむしろＴシャツにワンポイント追加され美観を向上させかつオリジナリティーも付加させることができる。そして、そのかわいいイラストにより子供である持ち主を喜ばすこともでき、文字が読めない子供であっても表面のイラストを覚えて自分の持ち物であることがわかるという利点もある。
【００２５】
一方で、ネームラベルの表面部５が外部から見えることでネームラベルの装着位置が探しやすく、その裏側に持ち主の氏名が記されていることから、衣類の端部をめくる等を行うことで容易に持ち主を確認することができるため、保育園等の職員等他の人にとっても大変便利である。さらに、子供が衣類を装着しているときは、氏名が外部からは見えないため、防犯上も安心である。
【００２６】
また、本実施例のネームラベルは、糸等により装着するため取り外しも可能であることから、例えば衣類を兄弟等がおさがりで使用や、リユースのための譲渡や販売も可能となるという利点もある。
【００２７】
尚、本実施例においては、表面部５にはうさぎのイラストを配置したが、それに限らず、裏面部４よりも持ち主の特定可能程度が低い形態で、あらゆるイラストや図柄としてよく、その色も黒に限らず様々な色をしてもよいことは言うまでもない。さらに、基体２の色や柄を衣類との組み合わせで最適化して、衣類との組み合わせで美観を向上するようにしてよい。また、表面部５においては、無地、即ちイラストや図柄は配置しないこともできる。その場合、例えば衣類に対してコントラストの強い色の基体を用いることで、色により持ち主の識別も可能である。また、衣類と同系色を用いネームラベルを目立たないものとすることで美観を保つこともできる。
【００２８】
また、裏面部４には、ひらがなで氏名を配置したが、氏（姓或いは苗字とも言う）のみ、名（下の名前とも言う）のみ、或いはニックネームであってもよく、カタカナ、あるいは漢字であってもよい。尚、日本国内においては日本語で表記することが最も持ち主を特定し易いと考えられ、通常の国内の施設の職員等の他人が見て即座に認識できる点からも最も好ましいと考えられる。
【００２９】
また、上記実施例においては、糸８によるネームラベル１の縫い付けは、織り込まれた折り代６と共に表面部５及び裏面部４の一辺が縫われているが、その両側の二辺を含む三辺を縫ってもよい。また、表面部５と表面部側の折り代６の両方に糸を通す代わりに表面部側の折り代６のみに糸を通して縫い付けてもよく、裏面部４と裏面部側の折り代６の両方に糸を通す代わりに裏面部側の折り代６のみに糸を通して縫い付けてもよい。
【００３０】
（変更例１）
以下、変形例として、上述の実施例１のネームラベルの装着方法とは別の位置へ装着する例を示す。
（変形例１ａ）衣類７の襟口への装着（図５、符号１１参照）。
本変形例においては、襟口の外側に表面部、内側に裏面部を配置することにより、実施例１に記載した効果以外に、衣類を畳んだ際に、名前が見やすいという利点がある。
（変形例１ｂ）衣類７のポケットへの装着（図５、符号１2参照）
（変形例１ｃ）衣類７の袖口への装着（図５、符号１3参照）
（変形例１ｄ）衣類（前あきシャツ７′）の前立てへの装着（図6（ａ）、符号１４参照）
（変形例１ｅ）衣類（ズボン７′′）の裾への装着（図6（ｂ）、符号１5参照）
（変形例１ｆ）衣類（ズボン７′′）のウエスト部への装着（図6（ｂ）、符号１6参照）
（変形例１ｇ）衣類（ズボン７′′）のポケットへの装着（図6（ｂ）、符号１7参照）
（変形例１ｈ）衣類（靴下７′′′）靴下８への装着（図7（ａ）、符号１8参照）
（変形例１ｉ）布製等のバッグ8への装着（図7（ｂ）、符号１9参照）
【００３１】
尚、上記変形例のうち、変形例１ａ、ｂ、ｆ〜ｉにおいては、実施例１や変形例１ａ、ｃ、ｅと衣類を挟む向きが上下逆であるため、裏面部４及び表面部５の図柄の向きも上下反対向きに配置する。さらに、変形例１ｄにおいては、実施例１に対して９０°回転させた向きに配置する。
【００３２】
（変形例２）
本変形例は、実施例１のネームラベル１を、実施例１のように、折部３の内側によって衣類の端部を挟むように配置されるとともに、裏面部４が衣類７の裏面７ｂに配置され、表面部５が衣類７の表面７ａに配置されるようにするのではなく、図8及び図８における領域ＩＩの部分拡大図である図9に示すように、衣類７の表面７ａに、ネームラベル１が、表面部４が表側（衣類７ａの表面と同じ向き）を向くように装着される。
そして、本変形例においては、表面部５が常に表側を向き、基体２をめくることによって裏面部４を視認することができるため、実施例１と同様の効果を得ることができる。
尚、本変形例においては、図１０に示すように、基体２′の裏面と表面に裏面部４′と表面部５′を設けるようにしてもよい。
本変形例のような装着例は、例えば、ネームラベル１を衣類の端部ではない箇所に付けたい場合や、ネームラベル１の基体２が内側に配置されない方がいいような場合（例えば、靴の場合のように基体２が内側にくることによって靴擦れの恐れが出てきてしまう場合等）に特に適していると考えられる。尚、靴２０への装着は、例えば、靴に既存する縫い目の穴に糸を通して縫うなどの方法が考えられる（図１１参照）。
【００３３】
（実施例２）大人用ネームラベル
次に、ネームラベルの他の例として、大人用ネームラベルについて説明する。尚、実施例２に係るネームラベルは、実施例１の子供用ネームラベルに対して、大人用にリボンの幅や表面部及び裏面部に配置する内容を変更したものである。依って、それ以外の実施例１と同様の内容については、説明を省略する。
【００３４】
図１２は、本実施例に係るネームラベルを示す正面図である。
本実施例のネームラベル１は、実施例１と同様に、長尺の基体２の中央線部に配置された折部３を挟み略同等の面積を有する裏面部４（第１面）と表面部５（第２面）を有し、さらに折り代６が配置され、所望の位置において山折りに折りこまれている。裏面部４には、個人名である「鈴木太郎」（氏：鈴木、名：太郎）と配置され、さらに、緊急連絡先として自宅の電話番号も配置されている。一方、表面部５には、裏面部とは異なり、氏名の英字のイニシャルT.Ｓが筆記体で書かれ周りを飾り枠で囲まれたデザインが配置されている。そして、折部3において山折りに折られている。ここで、表面部５に記された氏名の英字のイニシャルは、裏面部４に記された漢字の氏名よりも持ち主の特定可能程度が低い形態である。なお、本実施例においては、基体の幅は、大人用の衣類のサイズに適応するサイズであることを考慮して、２．５ｃｍ幅のものを使用したが、この幅に限るものではなく、例えば1〜5ｃｍ程度のものを使用することができる。
【００３５】
このように、本実施例においては、衣類の表面には、美観を重視したスタイリッシュなデザインで名前の英字のイニシャルが装着されることから、衣類の美観を損なうどころかむしろ衣類にワンポイント追加され美観を向上させかつオリジナリティーも付加させることができる。そして、そのスタイリッシュなデザインにより持ち主である大人のネームラベルを装着することの抵抗感を減らすことができる。
【００３６】
一方で、ネームラベルの表面部５が表面から見えることでネームラベルの装着位置が探しやすく、その裏面側に持ち主の氏名が記されていることから、衣類の端部をめくる等を行うことで容易に持ち主を確認することができるため、施設等の職員等他の人にとっても大変便利である。
【００３７】
さらに、施設に入所している高齢者に限らず、例えば徘徊等による迷子や外出時の思いもよらない事故で動けなくなる不安がある自宅で過ごしている高齢者等の認知症患者等に対して普段身に着ける衣類、かばん、靴等に、裏面側に緊急連絡先（電話番号や施設名等）も付記したネームラベルを装着することで、いわゆる迷子札を装着するほどの抵抗感がなく、そして個人情報を表に晒すことを防ぎつつ、万が一のときに連絡先が特定できる可能性が高くなり、本人及び家族にとって安心感を増すことができる。
【００３８】
尚、本実施例においては、表面部５にはイニシャルを含むデザインとしたが、これに限らず、裏面部４よりも持ち主の特定可能程度が低い形態となる範囲内において、英文字のフルネームや他のイラスト等のデザインを配置したものでもよく、その色も黒に限らず様々な色をしてもよい。ここで、通常の日本人は、日本語表記よりも英語表記の方がかっこいいと感じる人も多く、英語表記は通常の日本人にとっては内容よりもデザインとして認識される傾向があるのが一般的であると考えられるため、大人用のデザインとして英語表記は好まれると考えられる。さらに、基体２の色や柄を衣類との組み合わせで最適化して、衣類との組み合わせで美観を向上するようにしてよい。
【００３９】
また、表面部５においては、無地、即ち、イラストや図柄は配置しないこともできる。その場合、例えば衣類に対してコントラストの強い色の基体を用いることで、色により持ち主の識別も可能である。また、衣類と同系色を用いネームラベルを目立たないものとすることで美観を保つこともできる。
また、裏面部４には、漢字で氏名を配置したが、氏（姓或いは苗字とも言う）のみ、名（下の名前とも言う）のみ、或いはニックネームであってもよく、ひらがなあるいはカタカナであってもよい。尚、日本国内においては日本語で表記することが最も持ち主を特定し易いと考えられ、通常の国内の施設の職員等の他人が見て即座に認識できる点からも最も好ましいと考えられる。
【００４０】
（実施例３）ＱＲコード付きラベル（ＱＲコード：登録商標）
次に、個人特定ラベルの他の例としてＱＲコード付きラベルについて説明する。尚、実施例３に係るＱＲコード付きラベル２１は、実施例２の大人用ネームラベルに対して、裏面部４に個人名が配置されている代わりに、個人の情報を所定の読み取り手段により読み取らせることによって表示するＱＲコード２２が配置されているものである（図１3参照）。
図１４に読み取り手段２３を示す。読み取り手段２３については、近年においては汎用されているスマートフォンを用いることができる。即ち、スマートフォンのカメラシステムを利用した読み取り装置が内蔵されているため、発見者がカメラ付き携帯電話やスマートフォンを用いて情報を即座に読み取ることができる。本実施例においては、氏名と緊急連絡先がＱＲコードに格納されており、それらの情報がスマートフォンの画面に表示される。
【００４１】
このようにＱＲコードを使用することで、複数の連絡先やその他のメッセージ等のより多くの情報を入れることができ、かつ緊急連絡先等の個人情報を安易に他人に知られることを、防止することができる。
尚、読み取り手段については、スマートフォンに限らず、カメラ付き携帯電話やコンピュータを用いた他の読み取り手段等であってもよく、またコードについてもＱＲコードに限らず、バーコード等他のコードであってもよい。
また、裏面部４には、QRコード以外の他の文字や図柄が含まれてもよい。
【００４２】
尚、本発明は上記実施例及び変形例に限定されるものではない。
例えば、使用される場所は保育園等の施設に限らず、スポーツ等のチームや職場、学校等、あらゆる場所や所属団体で使用することができ、表面部５に配置するものとしては、所属する団体の名前やロゴ、本人に与えられた番号（例えば、スポーツのユニフォームの背番号）など、あらゆるものとすることができる。さらに、施設等での使用に限らず、例えば徘徊等による迷子や思いもよらない事故で動けなくなる不安がある自宅で過ごしている高齢者等の認知症患者等に対して使用することもできる。  さらに、緊急連絡先も配置したネームラベルやＱＲコード付きラベルは、犬等のペットの首輪や衣類に装着することもできる。その場合に裏面部４に配置する個人を特定する情報は飼い主のものとすることによって、万が一ペットが迷子になった場合に連絡がつく可能性が高くなり、飼い主の安心感を向上することができる。
【００４３】
また、表面部５に、夜間などに光を再帰反射させる反射材を配置してもよい。当該反射材を配置することで、本発明の個人特定ラベルが夜間に光るため、交通事故等の防止にも役立つという利点がある。この場合、シート状の反射材を所望のモチーフの形とすることにより美観を備えた図柄又は文字とすることもできる。
また、上記基体２は布製に限らず、ネームラベルの使用態様や被装着物の種類に応じて、紙、プラスティック等、他の素材としてもよい。
また、ネームラベルの被装着物への装着は、上述のような糸等を用いた装着に限定されるものではなく、熱や接着剤などによる方法等、他の方法を用いてもよい。
尚、本発明のネームラベルは、衣類等のブランドの名前やロゴを配した、所謂ブランドネームラベルとはその目的を異にしたものであり、表面部は、個人の好みのデザインとすることができる。但し、衣類等のブランドの名前やロゴをデザインとして捉えて表面部に配し、裏面部に持ち主の名前を配することを妨げるものではない。
【符号の説明】
【００４４】
１    ネームラベル
２    基体
３    折部
４    裏面部
５    表面部
６    折り代
７    衣類
８    バッグ
２０  靴
２１  ＱＲコード付きラベル
２２  ＱＲコード
【図１】
2020098318.tif 000003
【図２】
2020098318.tif 000004
【図３】
2020098318.tif 000005
【図４】
2020098318.tif 000006
【図５】
2020098318.tif 000007
【図６】
2020098318.tif 000008
【図７】
2020098318.tif 000009
【図８】
2020098318.tif 000010
【図９】
2020098318.tif 000011
【図１０】
2020098318.tif 000012
【図１１】
2020098318.tif 000013
【図１２】
2020098318.tif 000014
【図１３】
2020098318.tif 000015
【図１４】
2020098318.tif 000016